(57)【要約】パケット通信を行う通信端末の利用者に、パケット損失が生じた場合に利用者がより良好な通信環境下に移動する等の対策を採ることを可能とするパケット通信端末装置を開示する。この装置の表示画面１１９上には、受信電力およびバッテリ残量を示すマークＭ１およびＭ２の他に、パケット損失を示すマークＭ３が表示される。パケット損失の度合いに応じてＭ３が顔の表情を変化させることにより、利用者にパケット損失を通知する。すなわち、Ｍ３が笑顔の場合は、パケット損失が発生していない状態を示しており、Ｍ３が普通の顔をしている場合には、パケット損失が発生しているがパケットを補償することにより実用上ほとんど問題のない状態にあることを示しており、Ｍ３が泣き顔になっている場合は、パケット損失が発生しており、データの劣化が著しく発生している状態を示している。
2005020450.tif 000002
【特許請求の範囲】
【請求項１】
パケットデータを受信する受信手段と、
受信されたパケットデータにパケット損失がある場合、このパケット損失に関する情報をユーザインタフェースを介してリアルタイムに通知する通知手段と、
を具備するパケット通信端末装置。
【請求項２】
前記通知手段は、
受信電力のリアルタイム表示と併せて、前記パケット損失に関する情報をリアルタイムに通知する、
請求項１記載のパケット通信端末装置。
【請求項３】
受信されたパケットデータから特定のサービスに属するパケットデータを抽出する抽出手段をさらに具備し、
前記通知手段は、
前記受信手段で受信され、かつ、前記抽出手段で抽出されたパケットデータにパケット損失がある場合、このパケット損失に関する情報を通知する、
請求項２記載のパケット通信端末装置。
【請求項４】
前記通知手段は、
受信電力を表示する画面と同一画面上に、メッセージ、記号、マーク、または画像で前記パケット損失に関する情報を表示する、
請求項２記載のパケット通信端末装置。
【請求項５】
前記マークは複数のバリエーションを有し、
前記通知手段は、
前記マークの複数のバリエーションによって前記パケット損失の度合いを通知する、
請求項４記載のパケット通信端末装置。
【請求項６】
損失したパケットデータを、予め定められた複数の補償方法のうちの一の補償方法で補償する補償手段と、
前記パケット損失に関する情報の前記通知手段による通知に対する応答として、前記複数の補償方法のうちの一の補償方法が選択される選択手段と、
を具備する請求項２記載のパケット通信端末装置。
【請求項７】
前記複数の補償方法のうちの一の補償方法は、
ストリーミング再生中のオーディオ信号を無音信号で置換する補償方法である、
請求項６記載のパケット通信端末装置。
【請求項８】
前記パケットデータの着信を所定周期のランプの点滅によって知らせる着信ランプを具備し、
前記通知手段は、
前記着信ランプの点滅周期を前記所定周期よりも早くすることによって前記パケット損失を通知する、
請求項２記載のパケット通信端末装置。
【請求項９】
複数色に発光するランプを具備し、
前記通知手段は、
前記ランプを前記複数色のうちの特定の色で発光させて前記パケットデータの着信を通知し、また前記ランプを前記複数色のうちの前記特定の色以外の色で発光させて前記パケット損失を通知する、
請求項２記載のパケット通信端末装置。
【請求項１０】
前記通知手段は、
スピーカまたはイヤホンから予め定められた音を出力して前記パケット損失を通知する、
請求項２記載のパケット通信端末装置。
【請求項１１】
請求項２記載のパケット通信端末装置と、
このパケット通信端末装置に対し、課金されないテスト用のパケットデータを送信する基地局装置と、
を具備する通信システム。
【請求項１２】
パケットデータを受信する受信ステップと、
受信されたパケットデータにパケット損失がある場合、このパケット損失に関する情報をユーザインタフェースを介してリアルタイムに通知する通知ステップと、
を具備するパケット通信方法。
【発明の詳細な説明】
【技術分野】  本発明は、移動体通信ネットワークや無線ＬＡＮを介しパケット通信を行う携帯電話機、モバイルＰＣ等のパケット通信端末装置および通信システムに関する。
【背景技術】  近年、データ通信技術の発達により、パソコンを使用してオーディオ・ストリーミング（オーディオ・データのストリーミング再生等）を実施することが可能となってきている。近い将来には、携帯電話機、モバイルＰＣ等の通信端末においても、オーディオ・ストリーミングを実施することが可能となるであろう。
しかし、データ通信において現在使用されている規則（プロトコル）では、通信環境の悪化によって生じるパケット損失（パケットロス）を完全になくすことは不可能である。ここで、パケット損失とは、受信側においてパケットデータが破損して受信され判別不能なデータとなっている場合や、パケット自体がネットワーク内において迷走して行方不明となっている場合等である。受信側でパケットを誤りなく受信できなかった場合にパケットデータの再送制御を行う通信システムもあるが、このシステムにおいても、再送を繰り返してもなお所定の時間内にパケットが受信側に到着しなかった場合には、このパケットデータが送信側において廃棄されるのが一般的である。
従って、パケット損失により通信端末の利用者が被る被害を最小限に抑える対策が必要となる。この対策として、従来のパケット通信端末装置は、受信したパケットデータを一時記憶しておき、パケット損失が発生した場合には、損失したパケットの前後のパケットからデータを補間し、パケットデータを再現することを行っている（例えば、特開２０００−５９３９１号公報（要約、第１図）参照）。
しかしながら、従来装置は、パケット損失が生じた場合には、通信端末の利用者の意思に関わらず自動的にパケットデータの補間を行ってしまう。また、その効果は、損失したパケット内に含まれていたデータを再現するものの、その再現度は完全なものではないため、必ずしも通信端末の利用者が満足する結果を得られることを保証するものではない。
【発明の開示】
本発明の目的は、パケット通信を行う通信端末の利用者に、パケット損失が生じた場合に利用者がより良好な通信環境下に移動する等の対策を採ることを可能とし、また、損失したパケットに対する対策（補償方法）を利用者の意思に基づいて決定することを可能とし、利用者にとって使い勝手のよいパケット通信端末装置等を提供することである。
この目的は、パケットデータを受信する受信手段と、受信されたパケットデータにパケット損失がある場合、当該事実を利用者に通知する通知手段と、を具備するパケット通信端末装置等により解決される。
【図面の簡単な説明】  図１は、実施の形態１に係るパケット通信端末装置が含まれる通信システムの主要な構成を示すブロック図、
図２は、実施の形態１に係るパケット通信端末装置のより具体的な構成を示す図、
図３は、実施の形態１に係るパケット通信端末装置のバリエーションの構成を示すブロック図、
図４は、実施の形態１に係るパケット通信端末装置のバリエーションの構成を示すブロック図、
図５は、実施の形態１に係るパケット通信端末装置のバリエーションの構成を示すブロック図、
図６は、実施の形態１に係る信号受信部内部の主要な構成を示したブロック図、および
図７は、実施の形態２に係るパケット通信端末装置が含まれる通信システムの主要な構成を示すブロック図である。
【発明を実施するための最良の形態】  以下、本発明の実施の形態について、添付図面を参照して詳細に説明する。
（実施の形態１）
図１は、本発明の実施の形態１に係るパケット通信端末装置が含まれる通信システムの主要な構成を示すブロック図である。ここでは、パケットデータが音声データ（オーディオ信号を含む）である場合を例にとって説明する。
この通信システムは、パケット通信端末装置１２０、１３０、および通信網Ｎ１を有する。
パケット通信端末装置１２０の動作は、以下の通りである。
音声入力部１０１に入力されたアナログ音声信号は、ディジタル信号符号化部１０２でディジタル音声データに符号化変換される。そして、そのディジタル音声データは、符号化データ分割部１０３で一定時間ｔ毎に分割され、パケット組立部１０４で順次音声パケットとして組立てられ、送信音声パケット番号ｓが付与された後に、信号送信部１０５から非同期ディジタル通信網である通信網Ｎ１上に高速で送信される。
パケット通信端末装置１３０の動作は、以下の通りである。
信号受信部１０６は、通信網Ｎ１上から送信される音声パケットを順次受信する。符号化データ抽出部１０７は、音声パケットが受信される度に、その音声パケットに付加されている送信音声パケット番号ｓに基づき、音声データ値を抽出する。符号化データ組立部１０８は、符号化データ抽出部１０７で抽出された音声データ値を、既に一時記憶されている他の音声データ値と共にＦＩＦＯ的に一時記憶する。
一方、信号受信状態監視部１０９は、以上のパケットデータの受信処理に並行して、通信網Ｎ１上から送信された音声パケットの受信状態を所定時間毎にその所定時間内に受信された音声パケット数として常時監視する。そして、監視結果をディジタル音声データ対策部１１０および表示部１１３に信号Ｓ１を介し通知する。
ディジタル音声データ対策部１１０は、信号受信状態監視部１０９から通知されるパケット受信状態の監視結果において、受信音声パケット数が所定の閾値に達していないことが判明し、かつ受信した音声パケットのパケット番号の順番から欠落している番号が発見され、特定の音声パケットが損失していることが判明した場合には、この特定の損失パケットに対し補償処理を施す。具体的には、ディジタル音声データ対策部１１０は、その損失パケット内に含まれていた音声データ値を無音の音声で置換したり、あるいは符号化データ組立部１０８に既に一時記憶されている損失パケットの前後のパケットから損失した音声データ値を補間処理し、損失したデータを再現する。そして、再現されたデータは、時間的な連続性を維持するべく、符号化データ組立部１０８に一時記憶され出力された損失パケット前後の音声データ値の間に挿入され、ディジタル音声データ復号化部１１１に順次周期的に出力される。
ディジタル音声データ復号化部１１１は、補償後のデータを復号し、音声出力部１１２に出力する。音声出力部１１２は、この復号後の音声データを再生出力する。
表示部１１３は、信号受信状態監視部１０９から通知されたパケット受信状態の監視結果に基づいて、パケット損失の発生を示すメッセージ、記号、マーク、もしくは画像をリアルタイムに表示画面上に表示し、パケット通信端末装置１３０の利用者にパケット損失が生じたことを迅速に視覚を通じて知らしめる。パケット損失の発生を示すメッセージ、記号、もしくは画像は、表示部１１３に予め設定されているものである。
図２は、パケット通信端末装置１３０のより具体的な構成を示す図である。ここでは、パケット通信端末装置１３０が携帯電話機である場合、および表示部１１３が記号を用いてパケット損失に関する情報を表示する場合を例にとって示している。
この図において、表示部１１３が制御する表示画面１１９上には、受信信号の強度（受信電力）を示すマークＭ１、バッテリ残量を示すマークＭ２の他に、パケット損失を示すマークＭ３が表示されている。
ここでは、パケット損失の度合い（例えば、パケット損失率）に応じてマークＭ３が顔の表情を変化させることにより、利用者にパケット損失の有無だけでなく、より詳細なパケット損失に関する情報を通知する例を示している。すなわち、マークＭ３が笑顔の場合は、パケット損失が発生していない状態を示しており、マークＭ３が普通の顔（すました顔）をしている場合には、パケット損失が発生しているがパケットを補償することにより実用上ほとんど問題のない状態にあることを示しており、また図２のように、マークＭ３が泣き顔になっている場合は、パケット損失が発生しており、データの劣化が著しく発生している状態を示している。
このように、利用者が既に見慣れているマーク（上記の例では、マークＭ１、Ｍ２）と同様のマークを用いてパケット損失情報を通知することにより、利用者に抵抗感無くわかりやすいユーザインタフェースを与えている。また、複数のバリエーションを有するマークを使い分けてパケット損失の度合いを表示することにより、老若男女を問わず利用者に直感的にわかりやすいユーザインタフェースを与えている。
また、パケット通信端末装置がパケットデータを受信する際にパケット損失が発生する通信環境下にあることを認識するためには、上記のように、パケット通信端末装置が実際にパケットデータを受信することが必要である。よって、このパケット通信端末装置が属する通信システムでは、このパケット通信端末装置に対し、実データであるパケットデータを送信するに先立ち、パケット損失の有無を判断するためのテスト用のパケットデータ（ダミーパケット）を送信する。このテスト用のパケットデータは課金の対象としない。このテスト用のパケットデータを受信したパケット通信端末装置は、このパケットの受信結果によってパケット損失を判断し、利用者に通知する。よって、利用者は、テスト用のパケットデータを事前に受信することによって、現在の通信環境がパケット損失のおそれがある環境なのか否かを事前に認識することができる。
次いで、携帯電話機等のパケット通信端末装置が、パケット損失の事実を利用者に通知することの意義について説明する。
最近急速に普及しているＩＰ（Ｉｎｔｅｒｎｅｔ  Ｐｒｏｔｏｃｏｌ）電話においては、インターネットを介したパケット通信が前提となっている。また、移動体無線通信システムに関する規格団体の一つである３ＧＰＰ（３ｒｄ  Ｇｅｎｅｒａｔｉｏｎ  Ｐａｒｔｎｅｒｓｈｉｐ  Ｐｒｏｊｅｃｔ）が定めた規格では、下り回線で高速大容量の通信を行うため、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）と呼ばれるパケット通信方式が提唱されている。よって、今後はパケット通信が通信技術の骨格をなすものと考えられる。
ところが、従来の通信端末装置には、自機の置かれている通信環境の状態を示す指標として、受信電力の状態を示す機能はあっても、パケット通信におけるパケット損失情報、具体的には、パケット損失の有無並びにパケット損失の度合いを表示する機能はついていなかった。これらのパケット損失情報は、利用者が利用するサービスのサービス品質に、受信電力よりもより直接的に対応している指標であり、たとえ受信電力が強かったとしても、必ずしもパケット損失が発生していないという保証はなく、通信端末装置の利用者にとっては、受信電力情報に加え、サービス品質により近い指標であるパケット損失情報も確認したいという欲求が今後顕著になるものと考えられる。
例えば、音楽の音質にこだわる利用者がインターネット上の特定のサイトから音楽データをダウンロードしたり、ストリーミングによってリアルタイムに音楽を受聴する場合を考えると、この利用者にとっては、通信の途中においてデータが損失し、音質が劣化することには我慢がならないであろう。また、例えば、データのダウンロードやストリーミングによる音楽の受聴に多大な課金が課せられている場合にも、通信の途中においてデータが損失するおそれがあるのなら、利用者はダウンロードやストリーミングを延期することを検討するかもしれない。
よって、本発明のように、利用者にパケット損失情報をリアルタイムに与えることにより、この利用者は、より通信環境の良い場所に移動したり、または他の時間帯を選んで通信をしたりということが可能となる。すなわち、本発明は、通信環境を判断する際の指標として、受信電力以外の、しかも受信電力よりも利用者が受けるサービス品質を示すのにより対応した新たな指標を利用者に提供するものである。
このように、本実施の形態によれば、パケット損失情報を利用者にとって認識容易な方法によってリアルタイムに通知するので、利用者はより良好な通信環境下に移動する等の対策を講じることができ、パケット通信端末装置の使い勝手を向上させることができる。
なお、以上の説明において、本実施の形態に係る通信システムは、実データの送信に先立ってテスト用のダミーパケットを送信することとしたが、これを送信せず、実データの受信においてパケット損失を判断するようにしても良い。かかる場合、利用者は、一旦ストリーミングデータ等の受信を開始することとなるが、受信途中においてパケット損失を通信端末から通知され、この時点でストリーミングデータ等の受信を継続するか否か判断することとなる。
また、以上の説明において、パケット損失が発生したことを表示画面というユーザインタフェース上に表示することにより、利用者に視覚を通じてこの事実を通知する場合を例にとって説明したが、通知方法には以下に示すようなバリエーションがある。
図３は、ユーザインタフェースとして表示画面の代わりに着信ランプを使用して視覚を通じてパケット損失の事実を利用者に通知する場合のパケット通信端末装置の主要な構成を示したブロック図である。このパケット通信端末装置は、図１に示したパケット通信端末装置と同様の基本的構成を有しているが、着信ランプ１１５が設置されている点が異なっている。
着信ランプ１１５は、信号受信部１０６においてパケットデータが受信された場合、このパケットデータの着信を信号Ｓ２を介し通知される。このとき、着信ランプ１１５は、所定周期でランプを点滅させることによりパケットデータの着信を利用者に通知するのが通常の機能である。本実施の形態では、着信ランプ１１５はさらに、信号受信状態監視部１０９においてパケット損失が検出された場合、この事実を信号Ｓ１を介し通知される。このとき、着信ランプ１１５は、ランプの点滅周期をパケットデータ着信時の点滅周期よりも早くすることにより、パケット損失の事実を利用者に通知する。
このように、パケット損失の事実を着信ランプが点滅して通知することにより、利用者は比較的低度の注意力によりこのシグナルを認識することができる。また、パケット損失通知時のランプの点滅周期をパケットデータ着信時の点滅周期と変えることにより、利用者は「パケットデータ着信」と「パケット損失」を区別して認識することができる。さらに、パケット損失通知時のランプの点滅周期をパケットデータ着信時の点滅周期よりも早くすることにより、利用者はこのシグナルが警告の意味合いが強いものであることを直感的に理解することができる。
また、着信ランプ１１５が、特定の色（例えば、黄色、青色、無色等）で発光することによりパケットデータの着信を利用者に通知する機能を有する場合には、着信ランプ１１５にさらに別の色（例えば、警告色として赤色）で発光する機能を持たせ、この色で発光することにより、パケット損失の事実を利用者に通知しても良い。これにより、利用者は比較的低度の注意力によりパケット損失の事実を認識することができ、また、別々の色で発光することにより、利用者は「パケットデータ着信」と「パケット損失」を区別して認識することができる。
また、着信ランプ１１５が、着信メロディーが奏でられるのに合わせてランプを点滅させる機能を有する場合には、着信ランプ１１５を着信メロディーと関係なしにランダムに点滅させることにより、パケット損失の事実を利用者に通知しても良い。これにより、利用者は比較的低度の注意力によりパケット損失の事実を認識することができ、また、利用者は「パケットデータ着信」と「パケット損失」を区別して認識することができる。
図４は、ユーザインタフェースとしてスピーカを使用して聴覚を通じてパケット損失の事実を利用者に通知する場合のパケット通信端末装置の主要な構成を示したブロック図である。また、図５は、イヤホンを使用して聴覚を通じてパケット損失の事実を利用者に通知する場合のパケット通信端末装置の主要な構成を示したブロック図である。これらのパケット通信端末装置は、図１に示したパケット通信端末装置と同様の基本的構成を有しているが、音声出力部１１６、スピーカ１１７、およびイヤホン１１８が設置されている点が異なっている。
音声出力部１１６は、信号Ｓ１を介しパケット損失の事実を通知され、この事実をスピーカ１１７（図４）またはイヤホン１１８（図５）から、予め定められた音（音声メッセージ、信号音、音楽信号等）を出力することにより、聴覚を通じてパケット損失の事実を利用者に通知する。
これにより、利用者は特に注意することなく、パケット損失の事実を容易に知ることができる。
なお、パケット損失の事実をパケット通信端末装置が有するバイブレータ機能により触覚を通じて利用者に通知するようにしても良い（図示せず）。
また、上記の説明において、利用者が受けるサービスが、音楽受聴等の特定の一つのサービスである場合を例にとって説明したが、同時に異なる複数のサービスを利用者が受けるような場合にも本願は適用できる。例えば、インターネット上で情報を検索するサービスと、ストリーミングによる音楽受聴のサービスとを同時に受ける等の場合にも、以下に示すように、本願は適用できる。
図６は、パケット通信端末装置１３０内の信号受信部１０６内部の主要な構成を示したブロック図である。
この図において、パケットデータ受信部１３１は、通信網Ｎ１を経由して送信側からのパケット単位のデータ（パケットデータ）を受信し、復調等の所定の受信処理を施す。
対象パケットデータ抽出部１３２は、パケットデータ受信部１３１から出力されたパケットデータのヘッダ部の情報を参照し、このパケットが複数サービスのうちのいずれのサービスに属するパケットかを判断し、さらに、そのサービスがパケット損失情報の表示対象のサービスであるか否かを判定する。そして、対象パケットデータ抽出部１３２は、音声サービスと判断され、かつ、パケット損失情報の表示対象のサービスと判定されたパケットのみを、符号化データ抽出部１０７および信号受信状態監視部１０９に出力し、上記の条件に該当しないパケットを後続のこれらのパケットに対応した復号部（図示せず）に出力する。
この構成を採ることにより、例えば、インターネット上の情報検索とストリーミング再生との２つのサービスの同時利用時に、パケット損失情報の表示対象がストリーミングサービスと設定されていれば、対象パケットデータ抽出部１３２は、受信パケットからストリーミングサービスのパケットのみを抽出し、信号受信状態監視部１０９は、ストリーミングサービスのパケットのみの損失を監視し、パケット損失情報を表示部１１３等に出力する。よって、利用者は、インターネット上の情報検索等のバケット損失があまり気にならないサービスについてではなく、音質等の問題でパケット損失が気になるストリーミングサービスについてのパケット損失情報を得ることができる。
また、上記の例では、パケット損失情報の表示対象のサービスが１つである場合を例にとって説明したが、本願は、複数のサービスそれぞれについて、個々にパケット損失を監視し、それぞれ別の記号等を用いることにより、パケット損失情報をサービスごとに表示等するようにしても良い。
（実施の形態２）
図７は、本発明の実施の形態２に係るパケット通信端末装置が含まれる通信システムの主要な構成を示すブロック図である。ここでも、パケットデータが音声データである場合を例にとって説明する。なお、この通信システムは、図１に示した通信システムと同様の基本的構成を有しており、同一の構成要素には同一の符号を付し、その説明を省略する。
本実施の形態の特徴は、パケット通信端末装置２３０が、選択肢入力部２０１を有することである。以下、パケット通信端末装置２３０の実施の形態１と異なる特徴的な動作について説明する。
表示部１１３にパケット損失情報が表示された場合、パケット通信端末装置２３０の利用者は、パケットロスに対処する方法（損失パケットの補償方法）を予め設定されている選択肢の中から１つ指定し、選択肢入力部２０１を用いてこれを入力する。選択肢入力部２０１は、指定された補償方法を、信号Ｓ３、信号受信状態監視部１０９、および信号Ｓ４を介し、ディジタル音声データ対策部１１０ａに送信する。ディジタル音声データ対策部１１０ａは、指定された補償方法を用いて損失パケットの補償を行う。
ディジタル音声データ対策部１１０ａに予め設定されている補償方法は、以下のものである。ここでは、２つの方法が設定されている場合を例にとって説明する。
一つ目の方法は、ディジタル音声データ対策部１１０ａは、ストリーミング再生中のオーディオ信号をミュートする。すなわち、ディジタル音声データ対策部１１０ａは、損失パケット内に含まれていた音声データ値を無音の音声で置換し、出力する。
二つ目の方法は、ディジタル音声データ対策部１１０ａは、ストリーミング再生中のオーディオ信号を前後のパケットに基づいて補間する。すなわち、ディジタル音声データ対策部１１０ａは、損失パケット内に含まれていた音声データ値を、符号化データ組立部１０８に既に一時記憶されている、損失パケットの前後の音声データ値を用いて補間し、出力する。
このように、本実施の形態によれば、利用者が自分で損失パケットの補償方法を選択できるので、パケット通信端末装置の使い勝手を向上させることができる。
以上、本発明の各実施の形態について詳細に説明した。
なお、上記各実施の形態において、送信側が、パケット通信端末装置１２０に示されるように、入力される信号をリアルタイムに符号化し、パケットデータとして、通信網Ｎ１を介して、受信側のパケット通信端末装置１３０に送信されるような構成で説明したが、送信側のパケット通信端末装置１２０では、予め符号化を行いパケットデータとしてメモリやメディア等に蓄積しておき、受信側のパケット通信端末装置１３０からの要求が発生した際に、蓄積されたパケットデータを送信するような構成でも良い。
また、上記各実施の形態において、通信されるパケットデータが音声データである場合を例にとって説明したが、電子メール等の文字データもしくは映像等の動画像データのような他のデータであっても良い。
また、上記各実施の形態において、本発明をハードウェアで構成する場合を例にとって説明したが、ソフトウェアで実現することも可能である。
以上説明したように、本発明によれば、パケット通信端末の利用者に、パケット損失が生じた場合にはこの事実を容易な方法によって知らしめ、利用者がより良好な通信環境下に移動する等の対策を採ることを可能とし、また、損失したパケットに対する対策（補償方法）を利用者の意思に基づいて決定することを可能とし、利用者の使い勝手を向上させることができる。
本明細書は、２００３年８月２０日出願の特願２００３−２９５９６３に基づく。この内容はすべてここに含めておく。
【産業上の利用可能性】  本発明に係るパケット通信端末装置は、通信環境に関する新たな指標を利用者に提供する効果を有し、移動体通信ネットワークや無線ＬＡＮを介しパケット通信を行う携帯電話機、モバイルＰＣ等に適用できる。
【図１】
2005020450.tif 000003
【図２】
2005020450.tif 000004
【図３】
2005020450.tif 000005
【図４】
2005020450.tif 000006
【図５】
2005020450.tif 000007
【図６】
2005020450.tif 000008
【図７】
2005020450.tif 000009
【手続補正書】
【提出日】平成17年11月7日(2005.11.7)
【手続補正１】
【補正対象書類名】特許請求の範囲
【補正対象項目名】全文
【補正方法】変更
【補正の内容】
【特許請求の範囲】
【請求項１】
パケットデータを受信する受信手段と、
受信されたパケットデータにパケット損失がある場合、このパケット損失に関する情報をユーザインタフェースを介してリアルタイムに通知する通知手段と、
を具備するパケット通信端末装置。
【請求項２】
前記通知手段は、
受信電力のリアルタイム表示と併せて、前記パケット損失に関する情報をリアルタイムに通知する、
請求項１記載のパケット通信端末装置。
【請求項３】
受信されたパケットデータから特定のサービスに属するパケットデータを抽出する抽出手段をさらに具備し、
前記通知手段は、
前記受信手段で受信され、かつ、前記抽出手段で抽出されたパケットデータにパケット損失がある場合、このパケット損失に関する情報を通知する、
請求項２記載のパケット通信端末装置。
【請求項４】
前記通知手段は、
受信電力を表示する画面と同一画面上に、メッセージ、記号、マーク、または画像で前記パケット損失に関する情報を表示する、
請求項２記載のパケット通信端末装置。
【請求項５】
前記マークは複数のバリエーションを有し、
前記通知手段は、
前記マークの複数のバリエーションによって前記パケット損失の度合いを通知する、
請求項４記載のパケット通信端末装置。
【請求項６】
損失したパケットデータを、予め定められた複数の補償方法のうちの一の補償方法で補償する補償手段と、
前記パケット損失に関する情報の前記通知手段による通知に対する応答として、前記複数の補償方法のうちの一の補償方法が選択される選択手段と、
を具備する請求項２記載のパケット通信端末装置。
【請求項７】
前記複数の補償方法のうちの一の補償方法は、
ストリーミング再生中のオーディオ信号を無音信号で置換する補償方法である、
請求項６記載のパケット通信端末装置。
【請求項８】
前記パケットデータの着信を所定周期のランプの点滅によって知らせる着信ランプを具備し、
前記通知手段は、
前記着信ランプの点滅周期を前記所定周期よりも早くすることによって前記パケット損失を通知する、
請求項２記載のパケット通信端末装置。
【請求項９】
複数色に発光するランプを具備し、
前記通知手段は、
前記ランプを前記複数色のうちの特定の色で発光させて前記パケットデータの着信を通知し、また前記ランプを前記複数色のうちの前記特定の色以外の色で発光させて前記パケット損失を通知する、
請求項２記載のパケット通信端末装置。
【請求項１０】
前記通知手段は、
スピーカまたはイヤホンから予め定められた音を出力して前記パケット損失を通知する、
請求項２記載のパケット通信端末装置。
【請求項１１】
請求項２記載のパケット通信端末装置と、
このパケット通信端末装置に対し、課金されないテスト用のパケットデータを送信する基地局装置と、
を具備する通信システム。
【請求項１２】
パケットデータを受信する受信ステップと、
受信されたパケットデータにパケット損失がある場合、このパケット損失に関する情報をユーザインタフェースを介してリアルタイムに通知する通知ステップと、
を具備するパケット通信方法。
【手続補正２】
【補正対象書類名】明細書
【補正対象項目名】全文
【補正方法】変更
【補正の内容】
【発明の詳細な説明】
【技術分野】
【０００１】
本発明は、移動体通信ネットワークや無線ＬＡＮを介しパケット通信を行う携帯電話機、モバイルＰＣ等のパケット通信端末装置および通信システムに関する。
【背景技術】
【０００２】
近年、データ通信技術の発達により、パソコンを使用してオーディオ・ストリーミング（オーディオ・データのストリーミング再生等）を実施することが可能となってきている。近い将来には、携帯電話機、モバイルＰＣ等の通信端末においても、オーディオ・ストリーミングを実施することが可能となるであろう。
【０００３】
しかし、データ通信において現在使用されている規則（プロトコル）では、通信環境の悪化によって生じるパケット損失（パケットロス）を完全になくすことは不可能である。ここで、パケット損失とは、受信側においてパケットデータが破損して受信され判別不能なデータとなっている場合や、パケット自体がネットワーク内において迷走して行方不明となっている場合等である。受信側でパケットを誤りなく受信できなかった場合にパケットデータの再送制御を行う通信システムもあるが、このシステムにおいても、再送を繰り返してもなお所定の時間内にパケットが受信側に到着しなかった場合には、このパケットデータが送信側において廃棄されるのが一般的である。
【０００４】
従って、パケット損失により通信端末の利用者が被る被害を最小限に抑える対策が必要となる。この対策として、従来のパケット通信端末装置は、受信したパケットデータを一時記憶しておき、パケット損失が発生した場合には、損失したパケットの前後のパケットからデータを補間し、パケットデータを再現することを行っている（例えば、特許文献１参照）。
【特許文献１】特開２０００−５９３９１号公報（要約、第１図）
【発明の開示】
【発明が解決しようとする課題】
【０００５】
しかしながら、従来装置は、パケット損失が生じた場合には、通信端末の利用者の意思に関わらず自動的にパケットデータの補間を行ってしまう。また、その効果は、損失したパケット内に含まれていたデータを再現するものの、その再現度は完全なものではないため、必ずしも通信端末の利用者が満足する結果を得られることを保証するものではない。
【０００６】
よって、本発明の目的は、パケット通信を行う通信端末の利用者に、パケット損失が生じた場合に利用者がより良好な通信環境下に移動する等の対策を採ることを可能とし、また、損失したパケットに対する対策（補償方法）を利用者の意思に基づいて決定することを可能とし、利用者にとって使い勝手のよいパケット通信端末装置等を提供することである。
【課題を解決するための手段】
【０００７】
本発明のパケット通信端末装置は、パケットデータを受信する受信手段と、受信されたパケットデータにパケット損失がある場合、当該事実を利用者に通知する通知手段と、を具備する構成を採る。
【発明の効果】
【０００８】
本発明によれば、パケット通信端末の利用者に、パケット損失が生じた場合にはこの事実を容易な方法によって知らしめ、利用者がより良好な通信環境下に移動する等の対策を採ることを可能とし、また、損失したパケットに対する対策（補償方法）を利用者の意思に基づいて決定することを可能とし、利用者の使い勝手を向上させることができる。
【発明を実施するための最良の形態】
【０００９】
以下、本発明の実施の形態について、添付図面を参照して詳細に説明する。
【００１０】
（実施の形態１）
図１は、本発明の実施の形態１に係るパケット通信端末装置が含まれる通信システムの主要な構成を示すブロック図である。ここでは、パケットデータが音声データ（オーディオ信号を含む）である場合を例にとって説明する。
【００１１】
この通信システムは、パケット通信端末装置１２０、１３０、および通信網Ｎ１を有する。
【００１２】
パケット通信端末装置１２０の動作は、以下の通りである。
【００１３】
音声入力部１０１に入力されたアナログ音声信号は、ディジタル信号符号化部１０２でディジタル音声データに符号化変換される。そして、そのディジタル音声データは、符号化データ分割部１０３で一定時間ｔ毎に分割され、パケット組立部１０４で順次音声パケットとして組立てられ、送信音声パケット番号ｓが付与された後に、信号送信部１０５から非同期ディジタル通信網である通信網Ｎ１上に高速で送信される。
【００１４】
パケット通信端末装置１３０の動作は、以下の通りである。
【００１５】
信号受信部１０６は、通信網Ｎ１上から送信される音声パケットを順次受信する。符号化データ抽出部１０７は、音声パケットが受信される度に、その音声パケットに付加されている送信音声パケット番号ｓに基づき、音声データ値を抽出する。符号化データ組立部１０８は、符号化データ抽出部１０７で抽出された音声データ値を、既に一時記憶されている他の音声データ値と共にＦＩＦＯ的に一時記憶する。
【００１６】
一方、信号受信状態監視部１０９は、以上のパケットデータの受信処理に並行して、通信網Ｎ１上から送信された音声パケットの受信状態を所定時間毎にその所定時間内に受信された音声パケット数として常時監視する。そして、監視結果をディジタル音声データ対策部１１０および表示部１１３に信号Ｓ１を介し通知する。
【００１７】
ディジタル音声データ対策部１１０は、信号受信状態監視部１０９から通知されるパケット受信状態の監視結果において、受信音声パケット数が所定の閾値に達していないことが判明し、かつ受信した音声パケットのパケット番号の順番から欠落している番号が発見され、特定の音声パケットが損失していることが判明した場合には、この特定の損失パケットに対し補償処理を施す。具体的には、ディジタル音声データ対策部１１０は、その損失パケット内に含まれていた音声データ値を無音の音声で置換したり、あるいは符号化データ組立部１０８に既に一時記憶されている損失パケットの前後のパケットから損失した音声データ値を補間処理し、損失したデータを再現する。そして、再現されたデータは、時間的な連続性を維持するべく、符号化データ組立部１０８に一時記憶され出力された損失パケット前後の音声データ値の間に挿入され、ディジタル音声データ復号化部１１１に順次周期的に出力される。
【００１８】
ディジタル音声データ復号化部１１１は、補償後のデータを復号し、音声出力部１１２に出力する。音声出力部１１２は、この復号後の音声データを再生出力する。
【００１９】
表示部１１３は、信号受信状態監視部１０９から通知されたパケット受信状態の監視結果に基づいて、パケット損失の発生を示すメッセージ、記号、マーク、もしくは画像をリアルタイムに表示画面上に表示し、パケット通信端末装置１３０の利用者にパケット損失が生じたことを迅速に視覚を通じて知らしめる。パケット損失の発生を示すメッセージ、記号、もしくは画像は、表示部１１３に予め設定されているものである。
【００２０】
図２は、パケット通信端末装置１３０のより具体的な構成を示す図である。ここでは、パケット通信端末装置１３０が携帯電話機である場合、および表示部１１３が記号を用いてパケット損失に関する情報を表示する場合を例にとって示している。
【００２１】
この図において、表示部１１３が制御する表示画面１１９上には、受信信号の強度（受信電力）を示すマークＭ１、バッテリ残量を示すマークＭ２の他に、パケット損失を示すマークＭ３が表示されている。
【００２２】
ここでは、パケット損失の度合い（例えば、パケット損失率）に応じてマークＭ３が顔の表情を変化させることにより、利用者にパケット損失の有無だけでなく、より詳細なパケット損失に関する情報を通知する例を示している。すなわち、マークＭ３が笑顔の場合は、パケット損失が発生していない状態を示しており、マークＭ３が普通の顔（すました顔）をしている場合には、パケット損失が発生しているがパケットを補償することにより実用上ほとんど問題のない状態にあることを示しており、また図２のように、マークＭ３が泣き顔になっている場合は、パケット損失が発生しており、データの劣化が著しく発生している状態を示している。
【００２３】
このように、利用者が既に見慣れているマーク（上記の例では、マークＭ１、Ｍ２）と同様のマークを用いてパケット損失情報を通知することにより、利用者に抵抗感無くわかりやすいユーザインタフェースを与えている。また、複数のバリエーションを有するマークを使い分けてパケット損失の度合いを表示することにより、老若男女を問わず利用者に直感的にわかりやすいユーザインタフェースを与えている。
【００２４】
また、パケット通信端末装置がパケットデータを受信する際にパケット損失が発生する通信環境下にあることを認識するためには、上記のように、パケット通信端末装置が実際にパケットデータを受信することが必要である。よって、このパケット通信端末装置が属する通信システムでは、このパケット通信端末装置に対し、実データであるパケットデータを送信するに先立ち、パケット損失の有無を判断するためのテスト用のパケットデータ（ダミーパケット）を送信する。このテスト用のパケットデータは課金の対象としない。このテスト用のパケットデータを受信したパケット通信端末装置は、このパケットの受信結果によってパケット損失を判断し、利用者に通知する。よって、利用者は、テスト用のパケットデータを事前に受信することによって、現在の通信環境がパケット損失のおそれがある環境なのか否かを事前に認識することができる。
【００２５】
次いで、携帯電話機等のパケット通信端末装置が、パケット損失の事実を利用者に通知することの意義について説明する。
【００２６】
最近急速に普及しているＩＰ（Internet Protocol）電話においては、インターネットを介したパケット通信が前提となっている。また、移動体無線通信システムに関する規格団体の一つである３ＧＰＰ（3rd Generation Partnership Project）が定めた規格では、下り回線で高速大容量の通信を行うため、ＨＳＤＰＡ（High Speed Downlink Packet Access）と呼ばれるパケット通信方式が提唱されている。よって、今後はパケット通信が通信技術の骨格をなすものと考えられる。
【００２７】
ところが、従来の通信端末装置には、自機の置かれている通信環境の状態を示す指標として、受信電力の状態を示す機能はあっても、パケット通信におけるパケット損失情報、具体的には、パケット損失の有無並びにパケット損失の度合いを表示する機能はついていなかった。これらのパケット損失情報は、利用者が利用するサービスのサービス品質に、受信電力よりもより直接的に対応している指標であり、たとえ受信電力が強かったとしても、必ずしもパケット損失が発生していないという保証はなく、通信端末装置の利用者にとっては、受信電力情報に加え、サービス品質により近い指標であるパケット損失情報も確認したいという欲求が今後顕著になるものと考えられる。
【００２８】
例えば、音楽の音質にこだわる利用者がインターネット上の特定のサイトから音楽データをダウンロードしたり、ストリーミングによってリアルタイムに音楽を受聴する場合を考えると、この利用者にとっては、通信の途中においてデータが損失し、音質が劣化することには我慢がならないであろう。また、例えば、データのダウンロードやストリーミングによる音楽の受聴に多大な課金が課せられている場合にも、通信の途中においてデータが損失するおそれがあるのなら、利用者はダウンロードやストリーミングを延期することを検討するかもしれない。
【００２９】
よって、本発明のように、利用者にパケット損失情報をリアルタイムに与えることにより、この利用者は、より通信環境の良い場所に移動したり、または他の時間帯を選んで通信をしたりということが可能となる。すなわち、本発明は、通信環境を判断する際の指標として、受信電力以外の、しかも受信電力よりも利用者が受けるサービス品質を示すのにより対応した新たな指標を利用者に提供するものである。
【００３０】
このように、本実施の形態によれば、パケット損失情報を利用者にとって認識容易な方法によってリアルタイムに通知するので、利用者はより良好な通信環境下に移動する等の対策を講じることができ、パケット通信端末装置の使い勝手を向上させることができる。
【００３１】
なお、以上の説明において、本実施の形態に係る通信システムは、実データの送信に先立ってテスト用のダミーパケットを送信することとしたが、これを送信せず、実データの受信においてパケット損失を判断するようにしても良い。かかる場合、利用者は、一旦ストリーミングデータ等の受信を開始することとなるが、受信途中においてパケット損失を通信端末から通知され、この時点でストリーミングデータ等の受信を継続するか否か判断することとなる。
【００３２】
また、以上の説明において、パケット損失が発生したことを表示画面というユーザインタフェース上に表示することにより、利用者に視覚を通じてこの事実を通知する場合を例にとって説明したが、通知方法には以下に示すようなバリエーションがある。
【００３３】
図３は、ユーザインタフェースとして表示画面の代わりに着信ランプを使用して視覚を通じてパケット損失の事実を利用者に通知する場合のパケット通信端末装置の主要な構成を示したブロック図である。このパケット通信端末装置は、図１に示したパケット通信端末装置と同様の基本的構成を有しているが、着信ランプ１１５が設置されている点が異なっている。
【００３４】
着信ランプ１１５は、信号受信部１０６においてパケットデータが受信された場合、このパケットデータの着信を信号Ｓ２を介し通知される。このとき、着信ランプ１１５は、所定周期でランプを点滅させることによりパケットデータの着信を利用者に通知するのが通常の機能である。本実施の形態では、着信ランプ１１５はさらに、信号受信状態監視部１０９においてパケット損失が検出された場合、この事実を信号Ｓ１を介し通知される。このとき、着信ランプ１１５は、ランプの点滅周期をパケットデータ着信時の点滅周期よりも早くすることにより、パケット損失の事実を利用者に通知する。
【００３５】
このように、パケット損失の事実を着信ランプが点滅して通知することにより、利用者は比較的低度の注意力によりこのシグナルを認識することができる。また、パケット損失通知時のランプの点滅周期をパケットデータ着信時の点滅周期と変えることにより、利用者は「パケットデータ着信」と「パケット損失」を区別して認識することができる。さらに、パケット損失通知時のランプの点滅周期をパケットデータ着信時の点滅周期よりも早くすることにより、利用者はこのシグナルが警告の意味合いが強いものであることを直感的に理解することができる。
【００３６】
また、着信ランプ１１５が、特定の色（例えば、黄色、青色、無色等）で発光することによりパケットデータの着信を利用者に通知する機能を有する場合には、着信ランプ１１５にさらに別の色（例えば、警告色として赤色）で発光する機能を持たせ、この色で発光することにより、パケット損失の事実を利用者に通知しても良い。これにより、利用者は比較的低度の注意力によりパケット損失の事実を認識することができ、また、別々の色で発光することにより、利用者は「パケットデータ着信」と「パケット損失」を区別して認識することができる。
【００３７】
また、着信ランプ１１５が、着信メロディーが奏でられるのに合わせてランプを点滅させる機能を有する場合には、着信ランプ１１５を着信メロディーと関係なしにランダムに点滅させることにより、パケット損失の事実を利用者に通知しても良い。これにより、利用者は比較的低度の注意力によりパケット損失の事実を認識することができ、また、利用者は「パケットデータ着信」と「パケット損失」を区別して認識することができる。
【００３８】
図４は、ユーザインタフェースとしてスピーカを使用して聴覚を通じてパケット損失の事実を利用者に通知する場合のパケット通信端末装置の主要な構成を示したブロック図である。また、図５は、イヤホンを使用して聴覚を通じてパケット損失の事実を利用者に通知する場合のパケット通信端末装置の主要な構成を示したブロック図である。これらのパケット通信端末装置は、図１に示したパケット通信端末装置と同様の基本的構成を有しているが、音声出力部１１６、スピーカ１１７、およびイヤホン１１８が設置されている点が異なっている。
【００３９】
音声出力部１１６は、信号Ｓ１を介しパケット損失の事実を通知され、この事実をスピーカ１１７（図４）またはイヤホン１１８（図５）から、予め定められた音（音声メッセージ、信号音、音楽信号等）を出力することにより、聴覚を通じてパケット損失の事実を利用者に通知する。
【００４０】
これにより、利用者は特に注意することなく、パケット損失の事実を容易に知ることができる。
【００４１】
なお、パケット損失の事実をパケット通信端末装置が有するバイブレータ機能により触覚を通じて利用者に通知するようにしても良い（図示せず）。
【００４２】
また、上記の説明において、利用者が受けるサービスが、音楽受聴等の特定の一つのサービスである場合を例にとって説明したが、同時に異なる複数のサービスを利用者が受けるような場合にも本願は適用できる。例えば、インターネット上で情報を検索するサービスと、ストリーミングによる音楽受聴のサービスとを同時に受ける等の場合にも、以下に示すように、本願は適用できる。
【００４３】
図６は、パケット通信端末装置１３０内の信号受信部１０６内部の主要な構成を示したブロック図である。
【００４４】
この図において、パケットデータ受信部１３１は、通信網Ｎ１を経由して送信側からのパケット単位のデータ（パケットデータ）を受信し、復調等の所定の受信処理を施す。
【００４５】
対象パケットデータ抽出部１３２は、パケットデータ受信部１３１から出力されたパケットデータのヘッダ部の情報を参照し、このパケットが複数サービスのうちのいずれのサービスに属するパケットかを判断し、さらに、そのサービスがパケット損失情報の表示対象のサービスであるか否かを判定する。そして、対象パケットデータ抽出部１３２は、音声サービスと判断され、かつ、パケット損失情報の表示対象のサービスと判定されたパケットのみを、符号化データ抽出部１０７および信号受信状態監視部１０９に出力し、上記の条件に該当しないパケットを後続のこれらのパケットに対応した復号部（図示せず）に出力する。
【００４６】
この構成を採ることにより、例えば、インターネット上の情報検索とストリーミング再生との２つのサービスの同時利用時に、パケット損失情報の表示対象がストリーミングサービスと設定されていれば、対象パケットデータ抽出部１３２は、受信パケットからストリーミングサービスのパケットのみを抽出し、信号受信状態監視部１０９は、ストリーミングサービスのパケットのみの損失を監視し、パケット損失情報を表示部１１３等に出力する。よって、利用者は、インターネット上の情報検索等のバケット損失があまり気にならないサービスについてではなく、音質等の問題でパケット損失が気になるストリーミングサービスについてのパケット損失情報を得ることができる。
【００４７】
また、上記の例では、パケット損失情報の表示対象のサービスが１つである場合を例にとって説明したが、本願は、複数のサービスそれぞれについて、個々にパケット損失を監視し、それぞれ別の記号等を用いることにより、パケット損失情報をサービスごとに表示等するようにしても良い。
【００４８】
（実施の形態２）
図７は、本発明の実施の形態２に係るパケット通信端末装置が含まれる通信システムの主要な構成を示すブロック図である。ここでも、パケットデータが音声データである場合を例にとって説明する。なお、この通信システムは、図１に示した通信システムと同様の基本的構成を有しており、同一の構成要素には同一の符号を付し、その説明を省略する。
【００４９】
本実施の形態の特徴は、パケット通信端末装置２３０が、選択肢入力部２０１を有することである。以下、パケット通信端末装置２３０の実施の形態１と異なる特徴的な動作について説明する。
【００５０】
表示部１１３にパケット損失情報が表示された場合、パケット通信端末装置２３０の利用者は、パケットロスに対処する方法（損失パケットの補償方法）を予め設定されている選択肢の中から１つ指定し、選択肢入力部２０１を用いてこれを入力する。選択肢入力部２０１は、指定された補償方法を、信号Ｓ３、信号受信状態監視部１０９、および信号Ｓ４を介し、ディジタル音声データ対策部１１０ａに送信する。ディジタル音声データ対策部１１０ａは、指定された補償方法を用いて損失パケットの補償を行う。
【００５１】
ディジタル音声データ対策部１１０ａに予め設定されている補償方法は、以下のものである。ここでは、２つの方法が設定されている場合を例にとって説明する。
【００５２】
一つ目の方法は、ディジタル音声データ対策部１１０ａは、ストリーミング再生中のオーディオ信号をミュートする。すなわち、ディジタル音声データ対策部１１０ａは、損失パケット内に含まれていた音声データ値を無音の音声で置換し、出力する。
【００５３】
二つ目の方法は、ディジタル音声データ対策部１１０ａは、ストリーミング再生中のオーディオ信号を前後のパケットに基づいて補間する。すなわち、ディジタル音声データ対策部１１０ａは、損失パケット内に含まれていた音声データ値を、符号化データ組立部１０８に既に一時記憶されている、損失パケットの前後の音声データ値を用いて補間し、出力する。
【００５４】
このように、本実施の形態によれば、利用者が自分で損失パケットの補償方法を選択できるので、パケット通信端末装置の使い勝手を向上させることができる。
【００５５】
以上、本発明の各実施の形態について詳細に説明した。
【００５６】
なお、上記各実施の形態において、送信側が、パケット通信端末装置１２０に示されるように、入力される信号をリアルタイムに符号化し、パケットデータとして、通信網Ｎ１を介して、受信側のパケット通信端末装置１３０に送信されるような構成で説明したが、送信側のパケット通信端末装置１２０では、予め符号化を行いパケットデータとしてメモリやメディア等に蓄積しておき、受信側のパケット通信端末装置１３０からの要求が発生した際に、蓄積されたパケットデータを送信するような構成でも良い。
【００５７】
また、上記各実施の形態において、通信されるパケットデータが音声データである場合を例にとって説明したが、電子メール等の文字データもしくは映像等の動画像データのような他のデータであっても良い。
【００５８】
また、上記各実施の形態において、本発明をハードウェアで構成する場合を例にとって説明したが、ソフトウェアで実現することも可能である。
【００５９】
以上説明したように、本発明によれば、パケット通信端末の利用者に、パケット損失が生じた場合にはこの事実を容易な方法によって知らしめ、利用者がより良好な通信環境下に移動する等の対策を採ることを可能とし、また、損失したパケットに対する対策（補償方法）を利用者の意思に基づいて決定することを可能とし、利用者の使い勝手を向上させることができる。
【００６０】
本明細書は、２００３年８月２０日出願の特願２００３−２９５９６３に基づく。この内容はすべてここに含めておく。
【産業上の利用可能性】
【００６１】
本発明に係るパケット通信端末装置は、通信環境に関する新たな指標を利用者に提供する効果を有し、移動体通信ネットワークや無線ＬＡＮを介しパケット通信を行う携帯電話機、モバイルＰＣ等に適用できる。
【図面の簡単な説明】
【００６２】
【図１】実施の形態１に係るパケット通信端末装置が含まれる通信システムの主要な構成を示すブロック図
【図２】実施の形態１に係るパケット通信端末装置のより具体的な構成を示す図
【図３】実施の形態１に係るパケット通信端末装置のバリエーションの構成を示すブロック図
【図４】実施の形態１に係るパケット通信端末装置のバリエーションの構成を示すブロック図
【図５】実施の形態１に係るパケット通信端末装置のバリエーションの構成を示すブロック図
【図６】実施の形態１に係る信号受信部内部の主要な構成を示したブロック図
【図７】実施の形態２に係るパケット通信端末装置が含まれる通信システムの主要な構成を示すブロック図
【手続補正３】
【補正対象書類名】図面
【補正対象項目名】全図
【補正方法】変更
【補正の内容】
【図１】
2005020450.tif 000010
【図２】
2005020450.tif 000011
【図３】
2005020450.tif 000012
【図４】
2005020450.tif 000013
【図５】
2005020450.tif 000014
【図６】
2005020450.tif 000015
【図７】
2005020450.tif 000016
【国際調査報告】
2005020450.tif 000017
2005020450.tif 000018
2005020450.tif 000019
2005020450.tif 000020